(57)【特許請求の範囲】
【請求項１】
下記単量体（ａ）に基づく構成単位と下記単量体（ｂ）に基づく構成単位と下記単量体（ｃ）に基づく構成単位とを有し、該単量体（ｃ）に基づく構成単位の割合が、共重合体を構成するすべての単量体に基づく構成単位（１００質量％）のうち、０．１〜２０質量％である共重合体を含む、撥水撥油剤組成物。
単量体（ａ）：下式（１）で表される化合物。
（Ｚ−Ｙ）ｎＸ  ・・・（１）。
ただし、Ｚは、炭素数が１〜６のペルフルオロアルキル基、下式（２−１）で表される基または下式（２−２）で表される基であり、Ｙは、フッ素原子を有しない２価有機基または単結合であり、ｎは、１または２であり、Ｘは、ｎが１の場合は、下式（３−１）〜（３−５）で表される基のいずれかであり、ｎが２の場合は、下式（４−１）〜（４−４）で表される基のいずれかである。
ＣｉＦ２ｉ＋１Ｏ（ＣＦＸ１ＣＦ２Ｏ）ｊＣＦＸ２−  ・・・（２−１）、
ＣｉＦ２ｉ＋１（ＣＨ２ＣＦ２）ｐ（ＣＦ２ＣＦ２）ｑ−  ・・・（２−２）。
ただし、ｉは、１〜６の整数であり、ｊは、０〜１０の整数であり、Ｘ１およびＸ２は、それぞれフッ素原子またはトリフルオロメチル基であり、ｐは１〜４の整数であり、ｑは１〜３の整数である。
−ＣＲ＝ＣＨ２  ・・・（３−１）、
−Ｃ（Ｏ）ＯＣＲ＝ＣＨ２  ・・・（３−２）、
−ＯＣ（Ｏ）ＣＲ＝ＣＨ２  ・・・（３−３）、
−ＯＣＨ２−φ−ＣＲ＝ＣＨ２  ・・・（３−４）、
−ＯＣＨ＝ＣＨ２  ・・・（３−５）。
ただし、Ｒは、水素原子、メチル基またはハロゲン原子であり、φはフェニレン基である。
−ＣＨ［−（ＣＨ２）ｍＣＲ＝ＣＨ２］−  ・・・（４−１）、
−ＣＨ［−（ＣＨ２）ｍＣ（Ｏ）ＯＣＲ＝ＣＨ２］−  ・・・（４−２）、
−ＣＨ［−（ＣＨ２）ｍＯＣ（Ｏ）ＣＲ＝ＣＨ２］−  ・・・（４−３）、
−ＯＣ（Ｏ）ＣＨ＝ＣＨＣ（Ｏ）Ｏ−  ・・・（４−４）。
ただし、Ｒは、水素原子、メチル基またはハロゲン原子であり、ｍは０〜４の整数である。
単量体（ｂ）：ポリフルオロアルキル基を有さず、炭素数が１２以上のアルキル基を有する（メタ）アクリレート。
単量体（ｃ）：ポリフルオロビニルエーテルおよびポリフルオロアリルエーテルのいずれか一方または両方。
【請求項２】
前記共重合体が、下記単量体（ｄ）に基づく構成単位をさらに有する、請求項１に記載の撥水撥油剤組成物。
単量体（ｄ）：ハロゲン化オレフィン。
【請求項３】
前記共重合体が、下記単量体（ｅ）に基づく構成単位をさらに有する、請求項１または２に記載の撥水撥油剤組成物。
単量体（ｅ）：フッ素原子を有さず、架橋しうる官能基を有する単量体。
【請求項４】
前記共重合体における前記単量体（ａ）に基づく構成単位の割合が、前記共重合体を構成する全ての単量体に基づく構成単位（１００質量％）のうち、５〜４０質量％であり、
前記共重合体における前記単量体（ｂ）に基づく構成単位の割合が、前記共重合体を構成する全ての単量体に基づく構成単位（１００質量％）のうち、４０〜９４．９質量％である、請求項１〜３のいずれか一項に記載の撥水撥油剤組成物。
【請求項５】
前記単量体（ｃ）が、化合物（５）または化合物（６）である、請求項１〜４のいずれか一項に記載の撥水撥油剤組成物。
ＣＸ３Ｘ４＝ＣＦ（ＣＦ２）ａ［ＯＣＦＸ５ＣＦＸ６］ｂ（Ｏ）ｃ（ＣＦＸ７）ｄＣＨ２ＯＨ  ・・・（５）、
ＣＸ３Ｘ４＝ＣＦ（ＣＦ２）ａ［ＯＣＦＸ５ＣＦＸ６］ｂ（Ｏ）ｃ（ＣＦＸ７）ｄＣ（Ｏ）ＯＲ３  ・・・（６）。
ただし、Ｘ３〜Ｘ７は、それぞれ独立して水素原子、フッ素原子またはトリフルオロメチル基であり、Ｒ３は、水素原子、アルキル基または置換アルキル基であり、ａは、０または１であり、ｂは、０以上の整数であり、ｃは、０または１（ただし、ｂが０のときは、ｃは１である。）であり、ｄは、０以上の整数である。
【請求項６】
界面活性剤および重合開始剤の存在下、媒体中にて下記単量体（ａ）と下記単量体（ｂ）と下記単量体（ｃ）とを含む単量体成分を重合し、該単量体（ｃ）に基づく構成単位の割合が、共重合体を構成するすべての単量体に基づく構成単位（１００質量％）のうち、０．１〜２０質量％である共重合体とする、撥水撥油剤組成物の製造方法。
単量体（ａ）：下式（１）で表される化合物。
（Ｚ−Ｙ）ｎＸ  ・・・（１）。
ただし、Ｚは、炭素数が１〜６のペルフルオロアルキル基、下式（２−１）で表される基または下式（２−２）で表される基であり、Ｙは、フッ素原子を有しない２価有機基または単結合であり、ｎは、１または２であり、Ｘは、ｎが１の場合は、下式（３−１）〜（３−５）で表される基のいずれかであり、ｎが２の場合は、下式（４−１）〜（４−４）で表される基のいずれかである。
ＣｉＦ２ｉ＋１Ｏ（ＣＦＸ１ＣＦ２Ｏ）ｊＣＦＸ２−  ・・・（２−１）、
ＣｉＦ２ｉ＋１（ＣＨ２ＣＦ２）ｐ（ＣＦ２ＣＦ２）ｑ−  ・・・（２−２）。
ただし、ｉは、１〜６の整数であり、ｊは、０〜１０の整数であり、Ｘ１およびＸ２は、それぞれフッ素原子またはトリフルオロメチル基であり、ｐは１〜４の整数であり、ｑは１〜３の整数である。
−ＣＲ＝ＣＨ２  ・・・（３−１）、
−Ｃ（Ｏ）ＯＣＲ＝ＣＨ２  ・・・（３−２）、
−ＯＣ（Ｏ）ＣＲ＝ＣＨ２  ・・・（３−３）、
−ＯＣＨ２−φ−ＣＲ＝ＣＨ２  ・・・（３−４）、
−ＯＣＨ＝ＣＨ２  ・・・（３−５）。
ただし、Ｒは、水素原子、メチル基またはハロゲン原子であり、φはフェニレン基である。
−ＣＨ［−（ＣＨ２）ｍＣＲ＝ＣＨ２］−  ・・・（４−１）、
−ＣＨ［−（ＣＨ２）ｍＣ（Ｏ）ＯＣＲ＝ＣＨ２］−  ・・・（４−２）、
−ＣＨ［−（ＣＨ２）ｍＯＣ（Ｏ）ＣＲ＝ＣＨ２］−  ・・・（４−３）、
−ＯＣ（Ｏ）ＣＨ＝ＣＨＣ（Ｏ）Ｏ−  ・・・（４−４）。
ただし、Ｒは、水素原子、メチル基またはハロゲン原子であり、ｍは０〜４の整数である。
単量体（ｂ）：ポリフルオロアルキル基を有さず、炭素数が１２以上のアルキル基を有する（メタ）アクリレート。
単量体（ｃ）：ポリフルオロビニルエーテルおよびポリフルオロアリルエーテルのいずれか一方または両方。
【請求項７】
前記単量体成分が、下記単量体（ｄ）をさらに含む、請求項６に記載の撥水撥油剤組成物の製造方法。
単量体（ｄ）：ハロゲン化オレフィン。
【請求項８】
前記単量体成分が、下記単量体（ｅ）をさらに含む、請求項６または７に記載の撥水撥油剤組成物の製造方法。
単量体（ｅ）：フッ素原子を有さず、架橋しうる官能基を有する単量体。
【請求項９】
前記単量体成分における前記単量体（ａ）の割合が、前記単量体成分（１００質量％）のうち、５〜４０質量％であり、
前記単量体成分における前記単量体（ｂ）の割合が、前記単量体成分（１００質量％）のうち、４０〜９４．９質量％である、請求項６〜８のいずれか一項に記載の撥水撥油剤組成物の製造方法。
【請求項１０】
前記単量体（ｃ）が、化合物（５）または化合物（６）である、請求項６〜９のいずれか一項に記載の撥水撥油剤組成物の製造方法。
ＣＸ３Ｘ４＝ＣＦ（ＣＦ２）ａ［ＯＣＦＸ５ＣＦＸ６］ｂ（Ｏ）ｃ（ＣＦＸ７）ｄＣＨ２ＯＨ  ・・・（５）、
ＣＸ３Ｘ４＝ＣＦ（ＣＦ２）ａ［ＯＣＦＸ５ＣＦＸ６］ｂ（Ｏ）ｃ（ＣＦＸ７）ｄＣ（Ｏ）ＯＲ３  ・・・（６）。
ただし、Ｘ３〜Ｘ７は、それぞれ独立して水素原子、フッ素原子またはトリフルオロメチル基であり、Ｒ３は、水素原子、アルキル基または置換アルキル基であり、ａは、０または１であり、ｂは、０以上の整数であり、ｃは、０または１（ただし、ｂが０のときは、ｃは１である。）であり、ｄは、０以上の整数である。
【請求項１１】
請求項１〜５のいずれか一項に記載の撥水撥油剤組成物を用いて処理された、物品。
【発明の詳細な説明】
【技術分野】
【０００１】
本発明は、撥水撥油剤組成物、その製造方法、および該撥水撥油剤組成物を用いて処理された物品に関する。
【背景技術】
【０００２】
物品（繊維製品等）の表面に撥水撥油性を付与する方法としては、ポリフルオロアルキル基（以下、ポリフルオロアルキル基をＲｆ基と記す。）を有する単量体に基づく構成単位を有する共重合体を媒体に分散させた撥水撥油剤組成物を用いて物品を処理する方法が知られている。該撥水撥油剤組成物を用いて処理された物品には、激しい降雨の条件にさらされても撥水撥油性が大きく低下しないこと（豪雨耐久性）が要求される。
【０００３】
豪雨耐久性に優れる撥水撥油剤組成物としては、たとえば、下記の撥水撥油剤組成物が提案されている。
下記単量体（ａ）に基づく構成単位および下記単量体（ｂ）に基づく構成単位を有する共重合体を含み、単量体（ｂ）に基づく構成単位の割合が、単量体（ａ）に基づく構成単位と単量体（ｂ）に基づく構成単位との合計（１００モル％）のうち、３０〜８０モル％である撥水撥油剤組成物（特許文献１）。
単量体（ａ）：炭素数が１〜６のペルフルオロアルキル基（以下、ペルフルオロアルキル基をＲＦ基と記す。）を有する（メタ）アクリレート等。
単量体（ｂ）：炭素数が２０〜３０のアルキル基を有する（メタ）アクリレート。
【先行技術文献】
【特許文献】
【０００４】
【特許文献１】国際公開第２００８／１３６４３６号
【発明の概要】
【発明が解決しようとする課題】
【０００５】
しかし、該撥水撥油剤組成物を用いて処理された物品は、撥油性が不充分である場合があった。
【０００６】
本発明は、撥水性、撥油性および豪雨耐久性のいずれもが良好である物品を得ることができる撥水撥油剤組成物、その製造方法、および撥水性、撥油性および豪雨耐久性のいずれもが良好である物品を提供する。
【課題を解決するための手段】
【０００７】
本発明は、下記の態様を有する。
［１］下記単量体（ａ）に基づく構成単位と下記単量体（ｂ）に基づく構成単位と下記単量体（ｃ）に基づく構成単位とを有し、該単量体（ｃ）に基づく構成単位の割合が、共重合体を構成するすべての単量体に基づく構成単位（１００質量％）のうち、０．１〜２０質量％である共重合体を含む、撥水撥油剤組成物。
単量体（ａ）：下式（１）で表される化合物。
（Ｚ−Ｙ）ｎＸ  ・・・（１）。
ただし、Ｚは、炭素数が１〜６のペルフルオロアルキル基、下式（２−１）で表される基または下式（２−２）で表される基であり、Ｙは、フッ素原子を有しない２価有機基または単結合であり、ｎは、１または２であり、Ｘは、ｎが１の場合は、下式（３−１）〜（３−５）で表される基のいずれかであり、ｎが２の場合は、下式（４−１）〜（４−４）で表される基のいずれかである。
ＣｉＦ２ｉ＋１Ｏ（ＣＦＸ１ＣＦ２Ｏ）ｊＣＦＸ２−  ・・・（２−１）、
ＣｉＦ２ｉ＋１（ＣＨ２ＣＦ２）ｐ（ＣＦ２ＣＦ２）ｑ−  ・・・（２−２）。
ただし、ｉは、１〜６の整数であり、ｊは、０〜１０の整数であり、Ｘ１およびＸ２は、それぞれフッ素原子またはトリフルオロメチル基であり、ｐは１〜４の整数であり、ｑは１〜３の整数である。
−ＣＲ＝ＣＨ２  ・・・（３−１）、
−Ｃ（Ｏ）ＯＣＲ＝ＣＨ２  ・・・（３−２）、
−ＯＣ（Ｏ）ＣＲ＝ＣＨ２  ・・・（３−３）、
−ＯＣＨ２−φ−ＣＲ＝ＣＨ２  ・・・（３−４）、
−ＯＣＨ＝ＣＨ２  ・・・（３−５）。
ただし、Ｒは、水素原子、メチル基またはハロゲン原子であり、φはフェニレン基である。
−ＣＨ［−（ＣＨ２）ｍＣＲ＝ＣＨ２］−  ・・・（４−１）、
−ＣＨ［−（ＣＨ２）ｍＣ（Ｏ）ＯＣＲ＝ＣＨ２］−  ・・・（４−２）、
−ＣＨ［−（ＣＨ２）ｍＯＣ（Ｏ）ＣＲ＝ＣＨ２］−  ・・・（４−３）、
−ＯＣ（Ｏ）ＣＨ＝ＣＨＣ（Ｏ）Ｏ−  ・・・（４−４）。
ただし、Ｒは、水素原子、メチル基またはハロゲン原子であり、ｍは０〜４の整数である。
単量体（ｂ）：ポリフルオロアルキル基を有さず、炭素数が１２以上のアルキル基を有する（メタ）アクリレート。
単量体（ｃ）：ポリフルオロビニルエーテルおよびポリフルオロアリルエーテルのいずれか一方または両方。
［２］前記共重合体が、下記単量体（ｄ）に基づく構成単位をさらに有する、［１］の撥水撥油剤組成物。
単量体（ｄ）：ハロゲン化オレフィン。
［３］前記共重合体が、下記単量体（ｅ）に基づく構成単位をさらに有する、［１］または［２］の撥水撥油剤組成物。
単量体（ｅ）：フッ素原子を有さず、架橋しうる官能基を有する単量体。
［４］前記共重合体における前記単量体（ａ）に基づく構成単位の割合が、前記共重合体を構成する全ての単量体に基づく構成単位（１００質量％）のうち、５〜４０質量％であり、前記共重合体における前記単量体（ｂ）に基づく構成単位の割合が、前記共重合体を構成する全ての単量体に基づく構成単位（１００質量％）のうち、４０〜９４．９質量％である、［１］〜［３］のいずれかの撥水撥油剤組成物。
［５］前記単量体（ｃ）が、化合物（５）または化合物（６）である、［１］〜［４］のいずれかの撥水撥油剤組成物。
ＣＸ３Ｘ４＝ＣＦ（ＣＦ２）ａ［ＯＣＦＸ５ＣＦＸ６］ｂ（Ｏ）ｃ（ＣＦＸ７）ｄＣＨ２ＯＨ  ・・・（５）、
ＣＸ３Ｘ４＝ＣＦ（ＣＦ２）ａ［ＯＣＦＸ５ＣＦＸ６］ｂ（Ｏ）ｃ（ＣＦＸ７）ｄＣ（Ｏ）ＯＲ３  ・・・（６）。
ただし、Ｘ３〜Ｘ７は、それぞれ独立して水素原子、フッ素原子またはトリフルオロメチル基であり、Ｒ３は、水素原子、アルキル基または置換アルキル基であり、ａは、０または１であり、ｂは、０以上の整数であり、ｃは、０または１（ただし、ｂが０のときは、ｃは１である。）であり、ｄは、０以上の整数である。
［６］界面活性剤および重合開始剤の存在下、媒体中にて下記単量体（ａ）と下記単量体（ｂ）と下記単量体（ｃ）とを含む単量体成分を重合し、該単量体（ｃ）に基づく構成単位の割合が、共重合体を構成するすべての単量体に基づく構成単位（１００質量％）のうち、０．１〜２０質量％である共重合体とする、撥水撥油剤組成物の製造方法。
単量体（ａ）：下式（１）で表される化合物。
（Ｚ−Ｙ）ｎＸ  ・・・（１）。
ただし、Ｚは、炭素数が１〜６のペルフルオロアルキル基、下式（２−１）で表される基または下式（２−２）で表される基であり、Ｙは、フッ素原子を有しない２価有機基または単結合であり、ｎは、１または２であり、Ｘは、ｎが１の場合は、下式（３−１）〜（３−５）で表される基のいずれかであり、ｎが２の場合は、下式（４−１）〜（４−４）で表される基のいずれかである。
ＣｉＦ２ｉ＋１Ｏ（ＣＦＸ１ＣＦ２Ｏ）ｊＣＦＸ２−  ・・・（２−１）、
ＣｉＦ２ｉ＋１（ＣＨ２ＣＦ２）ｐ（ＣＦ２ＣＦ２）ｑ−  ・・・（２−２）。
ただし、ｉは、１〜６の整数であり、ｊは、０〜１０の整数であり、Ｘ１およびＸ２は、それぞれフッ素原子またはトリフルオロメチル基であり、ｐは１〜４の整数であり、ｑは１〜３の整数である。
−ＣＲ＝ＣＨ２  ・・・（３−１）、
−Ｃ（Ｏ）ＯＣＲ＝ＣＨ２  ・・・（３−２）、
−ＯＣ（Ｏ）ＣＲ＝ＣＨ２  ・・・（３−３）、
−ＯＣＨ２−φ−ＣＲ＝ＣＨ２  ・・・（３−４）、
−ＯＣＨ＝ＣＨ２  ・・・（３−５）。
ただし、Ｒは、水素原子、メチル基またはハロゲン原子であり、φはフェニレン基である。
−ＣＨ［−（ＣＨ２）ｍＣＲ＝ＣＨ２］−  ・・・（４−１）、
−ＣＨ［−（ＣＨ２）ｍＣ（Ｏ）ＯＣＲ＝ＣＨ２］−  ・・・（４−２）、
−ＣＨ［−（ＣＨ２）ｍＯＣ（Ｏ）ＣＲ＝ＣＨ２］−  ・・・（４−３）、
−ＯＣ（Ｏ）ＣＨ＝ＣＨＣ（Ｏ）Ｏ−  ・・・（４−４）。
ただし、Ｒは、水素原子、メチル基またはハロゲン原子であり、ｍは０〜４の整数である。
単量体（ｂ）：ポリフルオロアルキル基を有さず、炭素数が１２以上のアルキル基を有する（メタ）アクリレート。
単量体（ｃ）：ポリフルオロビニルエーテルおよびポリフルオロアリルエーテルのいずれか一方または両方。
［７］前記単量体成分が、下記単量体（ｄ）をさらに含む、［６］の撥水撥油剤組成物の製造方法。
単量体（ｄ）：ハロゲン化オレフィン。
［８］前記単量体成分が、下記単量体（ｅ）をさらに含む、［６］または［７］の撥水撥油剤組成物の製造方法。
単量体（ｅ）：フッ素原子を有さず、架橋しうる官能基を有する単量体。
［９］前記単量体成分における前記単量体（ａ）の割合が、前記単量体成分（１００質量％）のうち、５〜４０質量％であり、前記単量体成分における前記単量体（ｂ）の割合が、前記単量体成分（１００質量％）のうち、４０〜９４．９質量％である、［６］〜［８］のいずれかの撥水撥油剤組成物の製造方法。
［１０］前記単量体（ｃ）が、化合物（５）または化合物（６）である、［６］〜［９］のいずれかの撥水撥油剤組成物の製造方法。
ＣＸ３Ｘ４＝ＣＦ（ＣＦ２）ａ［ＯＣＦＸ５ＣＦＸ６］ｂ（Ｏ）ｃ（ＣＦＸ７）ｄＣＨ２ＯＨ  ・・・（５）、
ＣＸ３Ｘ４＝ＣＦ（ＣＦ２）ａ［ＯＣＦＸ５ＣＦＸ６］ｂ（Ｏ）ｃ（ＣＦＸ７）ｄＣ（Ｏ）ＯＲ３  ・・・（６）。
ただし、Ｘ３〜Ｘ７は、それぞれ独立して水素原子、フッ素原子またはトリフルオロメチル基であり、Ｒ３は、水素原子、アルキル基または置換アルキル基であり、ａは、０または１であり、ｂは、０以上の整数であり、ｃは、０または１（ただし、ｂが０のときは、ｃは１である。）であり、ｄは、０以上の整数である。  
［１１］前記［１］〜［５］のいずれかの撥水撥油剤組成物を用いて処理された、物品。
【発明の効果】
【０００８】
本発明の撥水撥油剤組成物によれば、撥水性、撥油性および豪雨耐久性のいずれもが良好である物品を得ることができる。
本発明の撥水撥油剤組成物の製造方法によれば、撥水性、撥油性および豪雨耐久性のいずれもが良好である物品を得ることができる撥水撥油剤組成物を製造できる。
本発明の物品は、撥水性、撥油性および豪雨耐久性のいずれもが良好である。
【発明を実施するための形態】
【０００９】
本明細書においては、式（１）で表される化合物を化合物（１）と記す。他の式で表される化合物も同様に記す。
本明細書においては、式（２−１）で表される基を基（２−１）と記す。他の式で表される基も同様に記す。
以下の用語の定義は、本明細書および特許請求の範囲にわたって適用される。
「（メタ）アクリレート」は、アクリレートおよびメタクリレートの総称である。
「ビニルエーテル」は、ビニル基および該ビニル基に結合したエーテル性酸素原子を有する化合物を意味し、「ポリフルオロビニルエーテル」は、ビニルエーテルの水素原子の一部またはすべてがフッ素原子に置換された化合物を意味する。
「アリルエーテル」は、アリル基および該アリル基に結合したエーテル性酸素原子を有する化合物を意味し、「ポリフルオロアリルエーテル」は、アリルエーテルの水素原子の一部またはすべてがフッ素原子に置換された化合物を意味する。
「単量体」は、重合性不飽和基を有する化合物を意味する。
「Ｒｆ基」は、アルキル基の水素原子の一部またはすべてがフッ素原子に置換された基を意味する。
「ＲＦ基」は、アルキル基の水素原子のすべてがフッ素原子に置換された基を意味する。
「数平均分子量」および「質量平均分子量」は、ゲルパーミエーションクロマトグラフィ（ＧＰＣ）法によってポリスチレン換算で求めた値である。
【００１０】
＜撥水撥油剤組成物＞
本発明の撥水撥油剤組成物は、特定の共重合体を必須成分として含み、必要に応じて、媒体、界面活性剤、添加剤を含む。
【００１１】
（共重合体）
共重合体は、単量体（ａ）に基づく構成単位と単量体（ｂ）に基づく構成単位と単量体（ｃ）に基づく構成単位とを有する。
共重合体は、単量体（ｄ）に基づく構成単位および／または単量体（ｅ）に基づく構成単位をさらに有することが好ましい。
共重合体は、必要に応じて、単量体（ｆ）に基づく構成単位を有していてもよい。
【００１２】
単量体（ａ）：
単量体（ａ）は、化合物（１）である。
（Ｚ−Ｙ）ｎＸ  ・・・（１）。
【００１３】
Ｚは、炭素数が１〜６のＲＦ基、基（２−１）または基（２−２）である。
ＣｉＦ２ｉ＋１Ｏ（ＣＦＸ１ＣＦ２Ｏ）ｊＣＦＸ２−  ・・・（２−１）、
ＣｉＦ２ｉ＋１（ＣＨ２ＣＦ２）ｐ（ＣＦ２ＣＦ２）ｑ−  ・・・（２−２）。
ただし、ｉは、１〜６の整数であり、ｊは、０〜１０の整数であり、Ｘ１およびＸ２は、それぞれフッ素原子またはトリフルオロメチル基であり、ｐは１〜４の整数であり、ｑは１〜３の整数である。
ＲＦ基の炭素数は、４〜６が好ましく、６が最も好ましい。ＲＦ基は、直鎖状であってもよく、分岐状であってもよく、直鎖状が好ましい。
【００１４】
Ｚとしては、下記の基が挙げられる。
Ｆ（ＣＦ２）４−、
Ｆ（ＣＦ２）５−、
Ｆ（ＣＦ２）６−、
（ＣＦ３）２ＣＦ（ＣＦ２）２−、
ＣｋＦ２ｋ＋１Ｏ［ＣＦ（ＣＦ３）ＣＦ２Ｏ］ｈ−ＣＦ（ＣＦ３）−、
ＣｋＦ２ｋ＋１（ＣＨ２ＣＦ２）（ＣＦ２ＣＦ２）ｒ等。
ただし、ｋは、１〜６の整数であり、ｈは０〜１０の整数であり、ｒは１または２である。
【００１５】
Ｙは、フッ素原子を有しない２価有機基または単結合である。
２価有機基としては、アルキレン基が好ましい。アルキレン基は、直鎖状であってもよく、分岐状であってもよい。アルキレン基は、−Ｏ−、−ＮＨ−、−ＣＯ−、−ＳＯ２−、−Ｓ−、−ＣＤ１＝ＣＤ２−（ただし、Ｄ１、Ｄ２は、それぞれ水素原子またはメチル基である。）等を有していてもよい。
【００１６】
Ｙとしては、下記の基が挙げられる。
−ＣＨ２−、
−ＣＨ２ＣＨ２−
−（ＣＨ２）３−、
−ＣＨ２ＣＨ２ＣＨ（ＣＨ３）−、
−ＣＨ＝ＣＨ−ＣＨ２−、
−Ｓ−ＣＨ２ＣＨ２−、
−ＳＯ２−ＣＨ２ＣＨ２−、
−ＣＨ２ＣＨ２ＣＨ２−Ｓ−ＣＨ２ＣＨ２−、
−ＣＨ２ＣＨ２ＣＨ２−ＳＯ２−ＣＨ２ＣＨ２−等。
【００１７】
ｎは、１または２である。
Ｘは、ｎが１の場合は、基（３−１）〜基（３−５）のいずれかであり、ｎが２の場合は、基（４−１）〜基（４−４）のいずれかである。
【００１８】
−ＣＲ＝ＣＨ２  ・・・（３−１）、
−Ｃ（Ｏ）ＯＣＲ＝ＣＨ２  ・・・（３−２）、
−ＯＣ（Ｏ）ＣＲ＝ＣＨ２  ・・・（３−３）、
−ＯＣＨ２−φ−ＣＲ＝ＣＨ２  ・・・（３−４）、
−ＯＣＨ＝ＣＨ２  ・・・（３−５）。
ただし、Ｒは、水素原子、メチル基またはハロゲン原子であり、φはフェニレン基である。Ｒとしては、水素原子、メチル基または塩素原子が好ましい。
【００１９】
−ＣＨ［−（ＣＨ２）ｍＣＲ＝ＣＨ２］−  ・・・（４−１）、
−ＣＨ［−（ＣＨ２）ｍＣ（Ｏ）ＯＣＲ＝ＣＨ２］−  ・・・（４−２）、
−ＣＨ［−（ＣＨ２）ｍＯＣ（Ｏ）ＣＲ＝ＣＨ２］−  ・・・（４−３）、
−ＯＣ（Ｏ）ＣＨ＝ＣＨＣ（Ｏ）Ｏ−  ・・・（４−４）。
ただし、Ｒは、水素原子、メチル基またはハロゲン原子であり、ｍは０〜４の整数である。Ｒとしては、水素原子、メチル基または塩素原子が好ましい。
【００２０】
化合物（１）としては、他の単量体との重合性、共重合体の皮膜の柔軟性、物品に対する共重合体の接着性、媒体に対する分散性または溶解性、乳化重合の容易性等の点から、炭素数が１〜６のＲＦ基を有するアクリレート、メタクリレート、α位がハロゲン原子で置換されたアクリレートが好ましく、炭素数が４〜６のＲＦ基を有するアクリレート、メタクリレート、α位がハロゲン原子で置換されたアクリレートがより好ましい。
化合物（１）としては、Ｚが炭素数４〜６のＲＦ基であり、Ｙが炭素数１〜４のアルキレン基であり、ｎが１であり、Ｘが基（３−３）であり、Ｒが水素原子、メチル基または塩素原子である化合物が特に好ましい。
【００２１】
化合物（１）の好ましい具体例としては、下記のものが挙げられる。
Ｃ６Ｆ１３Ｃ２Ｈ４ＯＣＯＣ（ＣＨ３）＝ＣＨ２、
Ｃ６Ｆ１３Ｃ２Ｈ４ＯＣＯＣＨ＝ＣＨ２、
Ｃ６Ｆ１３Ｃ２Ｈ４ＯＣＯＣＣｌ＝ＣＨ２、
Ｃ４Ｆ９Ｃ２Ｈ４ＯＣＯＣ（ＣＨ３）＝ＣＨ２、
Ｃ４Ｆ９Ｃ２Ｈ４ＯＣＯＣＨ＝ＣＨ２、
Ｃ４Ｆ９Ｃ２Ｈ４ＯＣＯＣＣｌ＝ＣＨ２。
【００２２】
単量体（ｂ）：
単量体（ｂ）は、Ｒｆ基を有さず、炭素数が１２以上のアルキル基を有する（メタ）アクリレートである。アルキル基の炭素数は、１８〜３０が好ましく、２０〜２４がより好ましい。
アルキル基の炭素数が前記下限値以上であれば、撥水撥油剤組成物を用いて処理された物品の豪雨耐久性が良好となる。アルキル基の炭素数が前記上限値以下であれば、重合操作における取り扱いが容易であり、収率よく共重合体を得ることができる。
単量体（ｂ）としては、ステアリル（メタ）アクリレートまたはベヘニル（メタ）アクリレートが好ましく、ベヘニル（メタ）アクリレートがより好ましく、ベヘニルアクリレートがさらに好ましい。
【００２３】
単量体（ｃ）：
単量体（ｃ）は、ポリフルオロビニルエーテル（ただし、単量体（ａ）を除く。）およびポリフルオロアリルエーテルのいずれか一方または両方である。
共重合体が単量体（ｃ）に基づく構成単位を有することにより、単量体（ａ）に基づく構成単位に由来する撥油性および単量体（ｂ）に基づく構成単位に由来する豪雨耐久性の両方を充分に発揮できる。
【００２４】
単量体（ｃ）としては、化合物（５）または化合物（６）が好ましい。
ＣＸ３Ｘ４＝ＣＦ（ＣＦ２）ａ［ＯＣＦＸ５ＣＦＸ６］ｂ（Ｏ）ｃ（ＣＦＸ７）ｄＣＨ２ＯＨ  ・・・（５）、
ＣＸ３Ｘ４＝ＣＦ（ＣＦ２）ａ［ＯＣＦＸ５ＣＦＸ６］ｂ（Ｏ）ｃ（ＣＦＸ７）ｄＣ（Ｏ）ＯＲ３  ・・・（６）。
【００２５】
Ｘ３〜Ｘ７は、それぞれ独立して水素原子、フッ素原子またはトリフルオロメチル基である。
Ｒ３は、水素原子、アルキル基または置換アルキル基であり、アルキル基が好ましい。アルキル基の炭素数は、１〜１２が好ましく、１〜６が特に好ましい。アルキル基は、直鎖状であってもよく、分岐状であってもよい。
ａは、０または１である。
ｂは、０以上の整数であり、１〜２０が好ましく、１〜５がさらに好ましい。
ｃは、０または１である。ただし、ｂが０のときは、ｃは１である。
ｄは、０以上の整数であり、１〜２０が好ましく、１〜５がさらに好ましい。
【００２６】
化合物（５）としては、下記の化合物が挙げられる。
ＣＦ２＝ＣＦＯＣＦ２ＣＦ２ＣＦ２ＣＨ２ＯＨ、
ＣＦ２＝ＣＦＯＣＦ２ＣＦ（ＣＦ３）ＯＣＦ２ＣＦ２ＣＨ２ＯＨ、
ＣＨ２＝ＣＦＣＦ２ＯＣＦ（ＣＦ３）ＣＦ２ＯＣＦ（ＣＦ３）ＣＨ２ＯＨ、
ＣＨ２＝ＣＦＣＦ２ＯＣＦ（ＣＦ３）ＣＦ２ＯＣＦ（ＣＦ３）ＣＦ２ＯＣＦ（ＣＦ３）ＣＨ２ＯＨ。
【００２７】
化合物（６）としては、下記の化合物が挙げられる。
ＣＦ２＝ＣＦＯＣＦ２ＣＦ２ＣＦ２Ｃ（Ｏ）ＯＣＨ３、
ＣＦ２＝ＣＦＯＣＦ２ＣＦ２ＣＦ２Ｃ（Ｏ）ＯＣ２Ｈ５、
ＣＦ２＝ＣＦＯＣＦ２ＣＦ２ＣＦ２Ｃ（Ｏ）ＯＣ３Ｈ７、
ＣＦ２＝ＣＦＯＣＦ２ＣＦ２ＣＦ２Ｃ（Ｏ）ＯＣ４Ｈ９、
ＣＦ２＝ＣＦＯＣＦ２ＣＦ２ＣＦ２Ｃ（Ｏ）ＯＣ５Ｈ１１、
ＣＦ２＝ＣＦＯＣＦ２ＣＦ２ＣＦ２Ｃ（Ｏ）ＯＣ６Ｈ１３、
ＣＦ２＝ＣＦＯＣＦ２ＣＦ２ＣＦ２Ｃ（Ｏ）ＯＣ８Ｈ１７、
ＣＦ２＝ＣＦＯＣＦ２ＣＦ（ＣＦ３）ＯＣＦ２ＣＦ２Ｃ（Ｏ）ＯＣＨ３、
ＣＦ２＝ＣＦＯＣＦ２ＣＦ（ＣＦ３）ＯＣＦ２ＣＦ２Ｃ（Ｏ）ＯＣ２Ｈ５、
ＣＦ２＝ＣＦＯＣＦ２ＣＦ（ＣＦ３）ＯＣＦ２ＣＦ２Ｃ（Ｏ）ＯＣ３Ｈ７、
ＣＦ２＝ＣＦＯＣＦ２ＣＦ（ＣＦ３）ＯＣＦ２ＣＦ２Ｃ（Ｏ）ＯＣ４Ｈ９、
ＣＦ２＝ＣＦＯＣＦ２ＣＦ（ＣＦ３）ＯＣＦ２ＣＦ２Ｃ（Ｏ）ＯＣ５Ｈ１１、
ＣＦ２＝ＣＦＯＣＦ２ＣＦ（ＣＦ３）ＯＣＦ２ＣＦ２Ｃ（Ｏ）ＯＣ６Ｈ１３、
ＣＦ２＝ＣＦＯＣＦ２ＣＦ（ＣＦ３）ＯＣＦ２ＣＦ２Ｃ（Ｏ）ＯＣ８Ｈ１７。
ＣＨ２＝ＣＦＣＦ２ＯＣＦ（ＣＦ３）ＣＦ２ＯＣＦ（ＣＦ３）ＣＯＯＣＨ３、
ＣＨ２＝ＣＦＣＦ２ＯＣＦ（ＣＦ３）ＣＦ２ＯＣＦ（ＣＦ３）ＣＦ２ＯＣＦ（ＣＦ３）Ｃ（Ｏ）ＯＣＨ３、
ＣＦ２＝ＣＦＯＣＦ２ＣＦ２ＣＦ２Ｃ（Ｏ）ＯＨ、
ＣＨ２＝ＣＦＣＦ２ＯＣＦ（ＣＦ３）ＣＦ２ＯＣＦ（ＣＦ３）Ｃ（Ｏ）ＯＨ、
ＣＨ２＝ＣＦＣＦ２ＯＣＦ（ＣＦ３）ＣＦ２ＯＣＦ（ＣＦ３）ＣＦ２ＯＣＦ（ＣＦ３）Ｃ（Ｏ）ＯＨ。
【００２８】
化合物（５）、化合物（６）は、特許第１４５４９６６号公報、特許第３０１２３２４号公報、特開２００８−１３８２１９号公報等に記載された公知の方法によって製造できる。
【００２９】
単量体（ｃ）としては、架橋しうる官能基を有するポリフルオロビニルエーテルまたは架橋しうる官能基を有するポリフルオロアリルエーテルを用いてもよい。
架橋しうる官能基としては、共有結合、イオン結合または水素結合のうち少なくとも１つ以上の結合を有する官能基、または、該結合の相互作用により架橋構造を形成できる官能基が好ましい。
【００３０】
該官能基としては、水酸基、イソシアネート基、ブロックドイソシアネート基、アルコキシシリル基、アミノ基、アルコキシメチルアミド基、シラノール基、アンモニウム基、アミド基、エポキシ基、水酸基、オキサゾリン基、カルボキシル基、アルケニル基、スルホン酸基等が挙げられ、エポキシ基、ブロックドイソシアネート基、アルコキシシリル基、アミノ基、またはカルボキシル基が好ましく、種々の官能基との反応性の点から、水酸基またはカルボキシル基が特に好ましい。
【００３１】
単量体（ｃ）としては、下記の化合物が特に好ましい。
ＣＦ２＝ＣＦＯＣＦ２ＣＦ２ＣＦ２ＣＨ２ＯＨ、
ＣＦ２＝ＣＦＯＣＦ２ＣＦ（ＣＦ３）ＯＣＦ２ＣＦ２ＣＨ２ＯＨ、
ＣＨ２＝ＣＦＣＦ２ＯＣＦ（ＣＦ３）ＣＦ２ＯＣＦ（ＣＦ３）ＣＨ２ＯＨ、
ＣＦ２＝ＣＦＯＣＦ２ＣＦ２ＣＦ２Ｃ（Ｏ）ＯＣＨ３、
ＣＦ２＝ＣＦＯＣＦ２ＣＦ２ＣＦ２Ｃ（Ｏ）ＯＣ２Ｈ５、
ＣＦ２＝ＣＦＯＣＦ２ＣＦ２ＣＦ２Ｃ（Ｏ）ＯＨ、
ＣＨ２＝ＣＦＣＦ２ＯＣＦ（ＣＦ３）ＣＦ２ＯＣＦ（ＣＦ３）ＣＯＯＣＨ３、
ＣＦ２＝ＣＦＯＣＦ２ＣＦ２ＣＦ２Ｃ（Ｏ）ＯＨ、
ＣＨ２＝ＣＦＣＦ２ＯＣＦ（ＣＦ３）ＣＦ２ＯＣＦ（ＣＦ３）Ｃ（Ｏ）ＯＨ。
【００３２】
単量体（ｄ）：
単量体（ｄ）は、ハロゲン化オレフィンである。
単量体（ｂ）に基づく構成単位と単量体（ｄ）に基づく構成単位とを組み合わせることにより、物品との密着性が向上するため、撥水撥油剤組成物を用いて処理された物品の豪雨耐久性がさらに向上する。
【００３３】
ハロゲン化オレフィンとしては、塩素化オレフィンまたはフッ素化オレフィンが好ましく、具体的には、塩化ビニル、塩化ビニリデン、テトラフルオロエチレン、フッ化ビニリデンが挙げられる。物品との密着性の点からは、塩化ビニルまたは塩化ビニリデンがより好ましく、塩化ビニルが特に好ましい。
【００３４】
単量体（ｅ）：
単量体（ｅ）は、フッ素原子を有さず、架橋しうる官能基を有する単量体である。
共重合体が単量体（ｅ）に基づく構成単位を有することにより、撥水撥油剤組成物を用いて処理された物品の耐久性（洗濯耐久性および豪雨耐久性）がさらに向上する。
【００３５】
架橋しうる官能基としては、共有結合、イオン結合または水素結合のうち少なくとも１つ以上の結合を有する官能基、または、該結合の相互作用により架橋構造を形成できる官能基が好ましい。
該官能基としては、イソシアネート基、ブロックドイソシアネート基、アルコキシシリル基、アミノ基、アルコキシメチルアミド基、シラノール基、アンモニウム基、アミド基、エポキシ基、水酸基、オキサゾリン基、カルボキシル基、アルケニル基、スルホン酸基等が好ましい。特に、エポキシ基、水酸基、ブロックドイソシアネート基、アルコキシシリル基、アミノ基、またはカルボキシル基が好ましい。
【００３６】
単量体（ｅ）としては、（メタ）アクリレート類、アクリルアミド類、ビニルエーテル類、またはビニルエステル類が好ましい。
単量体（ｅ）としては、下記の化合物が挙げられる。
【００３７】
２−イソシアナトエチル（メタ）アクリレート、３−イソシアナトプロピル（メタ）アクリレート、４−イソシアナトブチル（メタ）アクリレート、２−イソシアナトエチル（メタ）アクリレートの２−ブタノンオキシム付加体、２−イソシアナトエチル（メタ）アクリレートのピラゾール付加体、２−イソシアナトエチル（メタ）アクリレートの３，５−ジメチルピラゾール付加体、２−イソシアナトエチル（メタ）アクリレートの３−メチルピラゾール付加体、２−イソシアナトエチル（メタ）アクリレートのε−カプロラクタム付加体、３−イソシアナトプロピル（メタ）アクリレートの２−ブタノンオキシム付加体、３−イソシアナトプロピル（メタ）アクリレートのピラゾール付加体。
【００３８】
３−イソシアナトプロピル（メタ）アクリレートの３，５−ジメチルピラゾール付加体、３−イソシアナトプロピル（メタ）アクリレートの３−メチルピラゾール付加体、３−イソシアナトプロピル（メタ）アクリレートのε−カプロラクタム付加体、４−イソシアナトブチル（メタ）アクリレートの２−ブタノンオキシム付加体、４−イソシアナトブチル（メタ）アクリレートのピラゾール付加体、４−イソシアナトブチル（メタ）アクリレートの３，５−ジメチルピラゾール付加体、４−イソシアナトブチル（メタ）アクリレートの３−メチルピラゾール付加体、４−イソシアナトブチル（メタ）アクリレートのε−カプロラクタム付加体。
【００３９】
メトキシメチル（メタ）アクリルアミド、エトキシメチル（メタ）アクリルアミド、ブトキシメチル（メタ）アクリルアミド、ダイアセトンアクリルアミド、γ−メタクリロイルオキシプロピルトリメトキシシラン、トリメトキシビニルシラン、ビニルトリメトキシシラン、ジメチルアミノエチル（メタ）アクリレート、ジエチルアミノエチル（メタ）アクリレート、ジメチルアミノプロピル（メタ）アクリレート、（メタ）アクリロイルモルホリン、（メタ）アクリロイルオキシエチルトリメチルアンモニウムクロライド、（メタ）アクリロイルオキシプロピルトリメチルアンモニウムクロライド、（メタ）アクリルアミドエチルトリメチルアンモニウムクロライド、（メタ）アクリルアミドプロピルトリメチルアンモニウムクロライド。
【００４０】
ｔ−ブチル（メタ）アクリルアミドスルホン酸、（メタ）アクリルアミド、Ｎ−メチル（メタ）アクリルアミド、Ｎ−メチロール（メタ）アクリルアミド、Ｎ−ブトキシメチル（メタ）アクリルアミド、ジアセトン（メタ）アクリルアミド、グリシジル（メタ）アクリレート、２−ヒドロキシエチル（メタ）アクリレート、２−ヒドロキシプロピル（メタ）アクリレート、４−ヒドロキシブチル（メタ）アクリレート、３−クロロ−２−ヒドロキシプロピルメタクリレート、ポリオキシアルキレングリコールモノ（メタ）アクリレート、（メタ）アクリル酸、２−（メタ）アクリロイルキシエチルコハク酸、２−（メタ）アクリロイルキシヘキサヒドロフタル酸、２−（メタ）アクリロイルオキシエチルアシッドフォスフェート、アリル（メタ）アクリレート、２−ビニル−２−オキサゾリン、２−ビニル−４−メチル−（２−ビニルオキサゾリン）ヒドロキシエチル（メタ）アクリレートのポリカプロラクトンエステル。
【００４１】
トリ（メタ）アリルイソシアヌレート（Ｔ（Ｍ）ＡＩＣ、日本化成社製）、トリアリルシアヌレート（ＴＡＣ、日本化成社製）、フェニルグリシジルエチルアクリレートトリレンジイソシアナート（ＡＴ−６００、共栄社化学社製）、３−（メチルエチルケトオキシム）イソシアナトメチル−３，５，５−トリメチルシクロヘキシル（２−ヒドロキシエチルメタクリレート）シアナート（テックコートＨＥ−６Ｐ、京絹化成社製）。
【００４２】
単量体（ｄ）としては、Ｎ−メチロール（メタ）アクリルアミド、Ｎ−ブトキシメチル（メタ）アクリルアミド、２−ヒドロキシエチル（メタ）アクリレート、４−ヒドロキシブチル（メタ）アクリレート、２−イソシアナトエチル（メタ）アクリレートの３，５−ジメチルピラゾール付加体、３−イソシアナトプロピル（メタ）アクリレートの３，５−ジメチルピラゾール付加体、ダイアセトンアクリルアミド、グリシジルメタクリレート、ヒドロキシエチル（メタ）アクリレートのポリカプロラクトンエステル、ヒドロキシエチル（メタ）アクリレートのポリカプロラクトンエステル、ＡＴ−６００またはテックコートＨＥ−６Ｐが好ましい。単量体（ｄ）としては、Ｎ−メチロール（メタ）アクリルアミド、２−ヒドロキシエチル（メタ）アクリレート、４−ヒドロキシブチル（メタ）アクリレート、２−イソシアナトエチル（メタ）アクリレートの３，５−ジメチルピラゾール付加体、または３−イソシアナトプロピル（メタ）アクリレートの３，５−ジメチルピラゾール付加体が特に好ましい。
【００４３】
単量体（ｆ）：
単量体（ｆ）は、単量体（ａ）、単量体（ｂ）、単量体（ｃ）、単量体（ｄ）および単量体（ｅ）を除く単量体である。
単量体（ｆ）としては、下記の化合物が挙げられる。
メチルアクリレート、エチルアクリレート、プロピルアクリレート、ブチルメタクリレート、シクロヘキシル（メタ）アクリレート、２−エチルヘキシル（メタ）アクリレート、ブチルメタクリレート、ｎ−ヘキシル（メタ）アクリレート、酢酸ビニル、プロピオン酸ビニル、ブテン、イソプレン、ブタジエン、エチレン、プロピレン、ビニルエチレン、ペンテン、エチル−２−プロピレン、ブチルエチレン、シクロヘキシルプロピルエチレン、デシルエチレン、ドデシルエチレン、ヘキセン、イソヘキシルエチレン、ネオペンチルエチレン、（１，２−ジエトキシカルボニル）エチレン、（１，２−ジプロポキシカルボニル）エチレン、メトキシエチレン、エトキシエチレン、ブトキシエチレン、２−メトキシプロピレン、ペンチルオキシエチレン、シクロペンタノイルオキシエチレン、シクロペンチルアセトキシエチレン、スチレン、α−メチルスチレン、ｐ−メチルスチレン、ヘキシルスチレン、オクチルスチレン、ノニルスチレン、クロロプレン。
【００４４】
Ｎ，Ｎ−ジメチル（メタ）アクリルアミド、ビニルアルキルエーテル、ビニルアルキルケトン、ブチルアクリレート、プロピルメタクリレート、ベンジル（メタ）アクリレート、オクチル（メタ）アクリレート、デシルメタクリレート、シクロドデシルアクリレート、３−エトキシプロピルアクリレート、メトキシ−ブチルアクリレート、２−エチルブチルアクリレート、１、３−ジメチルブチルアクリレート、２−メチルペンチルアクリレート、アジリジニルエチル（メタ）アクリレート、２−エチルヘキシルポリオキシアルキレン（メタ）アクリレート、ポリオキシアルキレンジ（メタ）アクリレート。
【００４５】
クロトン酸アルキルエステル、マレイン酸アルキルエステル、フマル酸アルキルエステル、シトラコン酸アルキルエステル、メサコン酸アルキルエステル、トリアリルシアヌレート、酢酸アリル、Ｎ−ビニルカルバゾール、マレイミド、Ｎ−メチルマレイミド、側鎖にシリコーンを有する（メタ）アクリレート、ウレタン結合を有する（メタ）アクリレート、末端が炭素数１〜４のアルキル基であるポリオキシアルキレン鎖を有する（メタ）アクリレート、アルキレンジ（メタ）アクリレート等。
【００４６】
単量体（ａ）に基づく構成単位の割合は、撥水撥油剤組成物を用いて処理された物品の撥水撥油性および耐久性の点から、共重合体を構成する全ての単量体に基づく構成単位（１００質量％）のうち、５〜４０質量％が好ましく、１０〜３０質量％がより好ましく、１２〜２５質量％がさらに好ましい。
単量体（ｂ）に基づく構成単位の割合は、撥水撥油剤組成物を用いて処理された物品の撥水撥油性および耐久性の点から、共重合体を構成する全ての単量体に基づく構成単位（１００質量％）のうち、４０〜９４．９質量％が好ましく、４０〜８４．９質量％がより好ましく、４０〜８２．９質量％がさらに好ましい。
単量体（ｃ）に基づく構成単位の割合は、撥水撥油剤組成物を用いて処理された物品の撥水撥油性および耐久性の点から、共重合体を構成する全ての単量体に基づく構成単位（１００質量％）のうち、０．１〜２０質量％が好ましく、０．１〜１５質量％がより好ましく、０．１〜１３質量％がさらに好ましい。
単量体（ｄ）に基づく構成単位の割合は、撥水撥油剤組成物を用いて処理された物品の撥水撥油性および耐久性の点から、共重合体を構成する全ての単量体に基づく構成単位（１００質量％）のうち、０〜３０質量％が好ましく、５〜２５質量％がより好ましく、５〜２２質量％がさらに好ましい。
単量体（ｅ）に基づく構成単位の割合は、撥水撥油剤組成物を用いて処理された物品の撥水撥油性および耐久性の点から、共重合体を構成する全ての単量体に基づく構成単位（１００質量％）のうち、０〜１０質量％が好ましく、０〜８質量％がより好ましい。
単量体（ｆ）に基づく構成単位の割合は、撥水撥油剤組成物を用いて処理された物品の撥水撥油性および耐久性の点から、共重合体を構成する全ての単量体に基づく構成単位（１００質量％）のうち、０〜３５質量％が好ましく、０〜１５質量％がより好ましい。
本発明における単量体に基づく構成単位の割合は、共重合体の製造時の単量体の仕込み量に基づいて算出する。
【００４７】
共重合体の質量平均分子量（Ｍｗ）は、８０００〜５０００００が好ましく、１００００〜４０００００がより好ましい。共重合体の質量平均分子量（Ｍｗ）が前記範囲内であれば、撥水性と撥油性を共に発現することができる。
共重合体の数平均分子量（Ｍｎ）は、３０００〜２０００００が好ましく、５０００〜１８００００がより好ましい。共重合体の数平均分子量（Ｍｎ）が前記範囲内であれば、撥水性と撥油性を共に発現することができる。
【００４８】
（媒体）
媒体としては、水、アルコール、グリコール、グリコールエーテル、グリコールエステル、ハロゲン化合物、炭化水素、ケトン、エステル、エーテル、窒素化合物、硫黄化合物、無機溶剤、有機酸等が挙げられ、溶解性、取扱いの容易さの点から、水、アルコール、グリコール、グリコールエーテルおよびグリコールエステルからなる群から選ばれた１種以上の媒体が好ましい。
【００４９】
アルコールとしては、メタノール、エタノール、１−プロパノール、２−プロパノール、１−ブタノール、２−ブタノール、２−メチルプロパノール、１，１−ジメチルエタノール、１−ペンタノール、２−ペンタノール、３−ペンタノール、２−メチル−１−ブタノール、３−メチル−１−ブタノール、１，１−ジメチルプロパノール、３−メチル−２−ブタノール、１，２−ジメチルプロパノール、１−ヘキサノール、２−メチル−１−ペンタノール、４−メチル−２−ペンタノール、２−エチル−１−ブタノール、１−へプタノール、２−へプタノール、３−へプタノール等が挙げられる。
【００５０】
グリコール、グリコールエーテルとしては、エチレングリコール、エチレングリコールモノメチルエーテル、エチレングリコールモノエチルエーテル、エチレングリコールモノブチルエーテル、エチレングリコールモノメチルエーテルアセタート、プロピレングリコールモノメチルエーテルアセタート、ジエチレングリコールモノブチルエーテルアセタート、ジエチレングリコールモノエチルエーテルアセタート、エチレングリコールモノエチルエーテルアセタート、エチレングリコールモノブチルエーテルアセタート、プロピレングリコール、プロピレングリコールモノメチルエーテル、プロピレングリコールモノエチルエーテル、プロピレングリコールジメチルエーテル、ジプロピレングリコール、ジプロピレングリコールモノメチルエーテル、ジプロピレングリコールジメチルエーテル、ジプロピレングリコールモノエチルエーテル、トリプロピレングリコール、トリプロピレングリコールモノメチルエーテル、ポリプロピレングリコール、ヘキシレングリコール等が挙げられる。
【００５１】
ハロゲン化合物としては、ハロゲン化炭化水素、ハロゲン化エーテル等が挙げられる。
ハロゲン化炭化水素としては、ハイドロクロロフルオロカーボン、ハイドロフルオロカーボン、ハイドロブロモカーボン等が挙げられる。
【００５２】
ハロゲン化エーテルとしては、ハイドロフルオロエーテル等が挙げられる。
ハイドロフルオロエーテルとしては、分離型ハイドロフルオロエーテル、非分離型ハイドロフルオロエーテル等が挙げられる。分離型ハイドロフルオロエーテルとは、エーテル性酸素原子を介してＲＦ基またはペルフルオロアルキレン基、および、アルキル基またはアルキレン基が結合している化合物である。非分離型ハイドロフルオロエーテルとは、部分的にフッ素化されたアルキル基またはアルキレン基を含むハイドロフルオロエーテルである。
【００５３】
炭化水素としては、脂肪族炭化水素、脂環式炭化水素、芳香族炭化水素等が挙げられる。
脂肪族炭化水素としては、ペンタン、２−メチルブタン、３−メチルペンタン、ヘキサン、２，２−ジメチルブタン、２，３−ジメチルブタン、ヘプタン、オクタン、２，２，４−トリメチルペンタン、２，２，３−トリメチルヘキサン、デカン、ウンデカン、ドデカン、２，２，４，６，６−ペンタメチルヘプタン、トリデカン、テトラデカン、ヘキサデカン等が挙げられる。
脂環式炭化水素としては、シクロペンタン、メチルシクロペンタン、シクロヘキサン、メチルシクロヘキサン、エチルシクロヘキサン等が挙げられる。
芳香族炭化水素としては、ベンゼン、トルエン、キシレン等が挙げられる。
【００５４】
ケトンとしては、アセトン、メチルエチルケトン、２−ペンタノン、３−ペンタノン、２−ヘキサノン、メチルイソブチルケトン等が挙げられる。
エステルとしては、酢酸メチル、酢酸エチル、酢酸ブチル、プロピオン酸メチル、乳酸メチル、乳酸エチル、乳酸ペンチル等が挙げられる。
エーテルとしては、ジイソプロピルエーテル、ジオキサン、テトラヒドロフラン等が挙げられる。
【００５５】
窒素化合物としては、ピリジン、Ｎ，Ｎ−ジメチルホルムアミド、Ｎ，Ｎ−ジメチルアセトアミド、Ｎ−メチルピロリドン等が挙げられる。
硫黄化合物としては、ジメチルスルホキシド、スルホラン等が挙げられる。
無機溶剤としては、液体二酸化炭素が挙げられる。
有機酸としては、酢酸、プロピオン酸、りんご酸、乳酸、イタコン酸等が挙げられる。
【００５６】
媒体は、１種を単独で用いてもよく、２種以上を混合して用いてもよい。媒体を２種以上混合して用いる場合、水と混合して用いることが好ましい。混合した媒体を用いることにより、共重合体の溶解性、分散性の制御がしやすく、加工時における物品に対する浸透性、濡れ性、溶媒乾燥速度等の制御がしやすい。
本発明の撥水撥油剤組成物は、共重合体を２０質量％含む組成物とした場合に、水以外の前記媒体を０〜４０質量％含むのが好ましく、１〜２０質量％がより好ましい。
【００５７】
（界面活性剤）
界面活性剤としては、炭化水素系界面活性剤またはフッ素系界面活性剤が挙げられ、それぞれ、アニオン性界面活性剤、ノニオン性界面活性剤、カチオン性界面活性剤、または両性界面活性剤が挙げられる。
界面活性剤としては、添加剤との相溶性の点からは、ノニオン性界面活性剤と両性界面活性剤との併用が好ましく、共重合体エマルションの安定性の点からは、ノニオン性界面活性剤の単独使用、またはノニオン性界面活性剤とカチオン性界面活性剤との併用が好ましい。
ノニオン性界面活性剤とカチオン性界面活性剤との比（ノニオン性界面活性剤／カチオン性界面活性剤）は、９７／３〜４０／６０（質量比）が好ましい。
【００５８】
ノニオン性界面活性剤としては、国際公開第２０１０／０４７２５８号、国際公開第２０１０／１２３０４２号に記載された界面活性剤ｓ１〜ｓ６からなる群、および特許第５５６９６１４号公報に記載のアミドアミン界面活性剤から選ばれる１種以上が好ましい。
界面活性剤がカチオン性界面活性剤を含む場合、該カチオン性界面活性剤としては、国際公開第２０１０／０４７２５８号、国際公開第２０１０／１２３０４２号に記載された界面活性剤ｓ７が好ましい。
界面活性剤が両性界面活性剤を含む場合、該両性界面活性剤としては、国際公開第２０１０／０４７２５８号、国際公開第２０１０／１２３０４２号に記載された界面活性剤ｓ８が好ましい。
また、界面活性剤として、国際公開第２０１０／０４７２５８号、国際公開第２０１０／１２３０４２号に記載された界面活性剤ｓ９（高分子界面活性剤）を用いてもよい。
界面活性剤の好ましい態様は、国際公開第２０１０／０４７２５８号、国際公開第２０１０／１２３０４２号に記載された好ましい態様と同様である。
【００５９】
ノニオン性界面活性剤の好ましい具体例としては、下記の化合物が挙げられる。
Ｃ１８Ｈ３７Ｏ［ＣＨ２ＣＨ（ＣＨ３）Ｏ］２−（ＣＨ２ＣＨ２Ｏ）３０Ｈ、
Ｃ１８Ｈ３５Ｏ−（ＣＨ２ＣＨ２Ｏ）２６Ｈ、
Ｃ１８Ｈ３５Ｏ−（ＣＨ２ＣＨ２Ｏ）３０Ｈ、
Ｃ１６Ｈ３３Ｏ［ＣＨ２ＣＨ（ＣＨ３）Ｏ］５−（ＣＨ２ＣＨ２Ｏ）２０Ｈ、
Ｃ１２Ｈ２５Ｏ［ＣＨ２ＣＨ（ＣＨ３）Ｏ］２−（ＣＨ２ＣＨ２Ｏ）１５Ｈ、
（Ｃ８Ｈ１７）（Ｃ６Ｈ１３）ＣＨＯ−（ＣＨ２ＣＨ２Ｏ）１５Ｈ、
Ｃ１０Ｈ２１Ｏ［ＣＨ２ＣＨ（ＣＨ３）Ｏ］２−（ＣＨ２ＣＨ２Ｏ）１５Ｈ、
Ｃ６Ｆ１３ＣＨ２ＣＨ２Ｏ−（ＣＨ２ＣＨ２Ｏ）１５Ｈ、
Ｃ６Ｆ１３ＣＨ２ＣＨ２Ｏ［ＣＨ２ＣＨ（ＣＨ３）Ｏ］２−（ＣＨ２ＣＨ２Ｏ）１５Ｈ、
Ｃ４Ｆ９ＣＨ２ＣＨ２Ｏ［ＣＨ２ＣＨ（ＣＨ３）Ｏ］２−（ＣＨ２ＣＨ２Ｏ）１５Ｈ。
ＨＯ−（ＣＨ２ＣＨ２Ｏ）１５−（Ｃ３Ｈ６Ｏ）３５−（ＣＨ２ＣＨ２Ｏ）１５Ｈ、
ＨＯ−（ＣＨ２ＣＨ２Ｏ）８−（Ｃ３Ｈ６Ｏ）３５−（ＣＨ２ＣＨ２Ｏ）８Ｈ、
ＨＯ−（ＣＨ２ＣＨ２Ｏ）９−（Ｃ３Ｈ６Ｏ）２０−（ＣＨ２ＣＨ２Ｏ）９Ｈ、
ＨＯ−（ＣＨ２ＣＨ２Ｏ）４５−（Ｃ３Ｈ６Ｏ）１７−（ＣＨ２ＣＨ２Ｏ）４５Ｈ、
ＨＯ−（ＣＨ２ＣＨ２Ｏ）３４−（ＣＨ２ＣＨ２ＣＨ２ＣＨ２Ｏ）２８−（ＣＨ２ＣＨ２Ｏ）３４Ｈ。
【００６０】
カチオン性界面活性剤の好ましい具体例としては、下記の化合物が挙げられる。
ステアリルトリメチルアンモニウムクロライド、
ステアリルジメチルモノエチルアンモニウムエチル硫酸塩、
ステアリルモノメチルジ（ポリエチレングリコール）アンモニウムクロライド、
フルオロヘキシルトリメチルアンモニウムクロライド、
ジ（牛脂アルキル）ジメチルアンモニウムクロライド、
ジメチルモノココナッツアミン酢酸塩、
特許第５５６９６１４号公報に記載のアミドアミン第４級アンモニウム塩等。
【００６１】
両性界面活性剤の好ましい具体例としては、下記の化合物が挙げられる。
ドデシルベタイン、
ステアリルベタイン、
ドデシルカルボキシメチルヒドロキシエチルイミダゾリニウムベタイン、
ドデシルジメチルアミノ酢酸ベタイン、
脂肪酸アミドプロピルジメチルアミノ酢酸ベタイン。
【００６２】
界面活性剤の合計量は、共重合体（１００質量部）に対して、１〜１０質量部が好ましく、２〜８質量部がより好ましい。
【００６３】
（添加剤）
添加剤としては、浸透剤、消泡剤、吸水剤、帯電防止剤、防皺剤、風合い調整剤、造膜助剤、水溶性高分子（ポリアクリルアミド、ポリビニルアルコール等）、熱硬化剤（メラミン樹脂、ウレタン樹脂等）、エポキシ硬化剤（イソフタル酸ジヒドラジド、アジピン酸ジヒドラジド、セバチン酸ジヒドラジド、ドデカン二酸ジヒドラジド、１，６−ヘキサメチレンビス（Ｎ，Ｎ−ジメチルセミカルバジド）、１，１，１’，１，’−テトラメチル−４，４’−（メチレン−ジ−パラ−フェニレン）ジセミカルバジド、スピログリコール等）、熱硬化触媒、架橋触媒、合成樹脂、繊維安定剤等が挙げられる。
【００６４】
（撥水撥油剤組成物の製造方法）
本発明の撥水撥油剤組成物は、たとえば、下記（ｉ）または（ii）の方法で製造できる。
（ｉ）界面活性剤および重合開始剤の存在下、媒体中にて単量体（ａ）〜（ｃ）、必要に応じて単量体（ｄ）〜（ｆ）を含む単量体成分を重合して共重合体の溶液、分散液またはエマルションを得た後、必要に応じて、他の媒体、他の界面活性剤、添加剤を加える方法。
（ii）界面活性剤および重合開始剤の存在下、媒体中にて単量体（ａ）〜（ｃ）、必要に応じて単量体（ｄ）〜（ｆ）を含む単量体成分を重合して共重合体の溶液、分散液またはエマルションを得た後、共重合体を分離し、共重合体に媒体、界面活性剤、必要に応じて添加剤を加える方法。
重合法としては、分散重合法、乳化重合法、懸濁重合法等が挙げられる。
【００６５】
撥水撥油剤組成物の製造方法としては、界面活性剤および重合開始剤の存在下、水系媒体中で単量体（ａ）〜（ｃ）、必要に応じて単量体（ｄ）〜（ｆ）を含む単量体成分を乳化重合して共重合体のエマルションを得る方法が好ましい。
共重合体の収率が向上する点から、乳化重合の前に、単量体、界面活性剤および水系媒体からなる混合物を前乳化することが好ましい。たとえば、単量体、界面活性剤および水系媒体からなる混合物を、ホモミキサーまたは高圧乳化機で混合分散する。
【００６６】
重合開始剤としては、熱重合開始剤、光重合開始剤、放射線重合開始剤、ラジカル重合開始剤、イオン性重合開始剤等が挙げられ、水溶性または油溶性のラジカル重合開始剤が好ましい。
ラジカル重合開始剤としては、アゾ系重合開始剤、過酸化物系重合開始剤、レドックス系開始剤等の汎用の開始剤が、重合温度に応じて用いられる。ラジカル重合開始剤としては、アゾ系化合物が特に好ましく、水系媒体中で重合を行う場合、アゾ系化合物の塩がより好ましい。重合温度は２０〜１５０℃が好ましい。
【００６７】
単量体の重合の際には、分子量調整剤を用いてもよい。分子量調節剤としては、芳香族系化合物、メルカプトアルコール類またはメルカプタン類が好ましく、アルキルメルカプタン類が特に好ましい。分子量調整剤としては、メルカプトエタノール、ｎ−オクチルメルカプタン、ｎ−ドデシルメルカプタン、ｔ−ドデシルメルカプタン、ステアリルメルカプタン、α−メチルスチレンダイマ（ＣＨ２＝Ｃ（Ｐｈ）ＣＨ２Ｃ（ＣＨ３）２Ｐｈ。ただし、Ｐｈはフェニル基である。）等が挙げられる。
【００６８】
単量体（ａ）〜（ｆ）の割合は、重合後に残存する単量体がほとんど検出されないことから、それぞれ上述した単量体（ａ）〜（ｆ）に基づく構成単位の割合と同様であり、好ましい態様も同様である。
【００６９】
本発明の撥水撥油剤組成物は、共重合体が媒体中に粒子として分散していることが好ましい。共重合体の平均粒子径は、１０〜１０００ｎｍが好ましく、１０〜３００ｎｍがより好ましく、１０〜２００ｎｍが特に好ましい。平均粒子径が該範囲であれば、界面活性剤等を多量に用いる必要がなく、撥水撥油性が良好であり、染色された布帛類を処理した場合に色落ちが発生せず、媒体中で分散粒子が安定に存在できて沈降することがない。共重合体の平均粒子径は、動的光散乱装置、電子顕微鏡等により測定できる。
【００７０】
本発明の撥水撥油剤組成物の固形分濃度は、撥水撥油剤組成物の製造直後は、撥水撥油剤組成物（１００質量％）中、２５〜４０質量％が好ましい。
本発明の撥水撥油剤組成物の固形分濃度は、物品の処理時は、撥水撥油剤組成物（１００質量％）中、０．２〜５質量％が好ましい。
撥水撥油剤組成物の固形分濃度は、加熱前の撥水撥油剤組成物の質量と、１２０℃の対流式乾燥機にて４時間乾燥した後の質量とから計算される。
【００７１】
（作用機序）
以上説明した本発明の撥水撥油剤組成物にあっては、単量体（ａ）に基づく構成単位および単量体（ｂ）に基づく構成単位に加え、単量体（ｃ）に基づく構成単位をさらに有する共重合体を含むため、該撥水撥油剤組成物を用いて物品を処理することによって、撥水性、撥油性および豪雨耐久性のいずれもが良好である物品を得ることができる。
また、本発明の撥水撥油剤組成物にあっては、共重合体が炭素数７以上のＲＦ基を有する単量体に基づく構成単位を有しないため、環境への影響が指摘されているペルフルオロオクタン酸（ＰＦＯＡ）やペルフルオロオクタンスルホン酸（ＰＦＯＳ）およびその前駆体、類縁体の含有量（固形分濃度２０％とした場合の含有量）を国際公開第２００９／０８１８２２号に記載の方法によるＬＣ−ＭＳ／ＭＳの分析値として検出限界以下にすることができる。
【００７２】
＜物品＞
本発明の物品は、本発明の撥水撥油剤組成物を用いて処理された物品である。
本発明の撥水撥油剤組成物で処理される物品としては、繊維（天然繊維、合成繊維、混紡繊維等）、各種繊維製品、不織布、樹脂、紙、皮革、木材、金属、石、コンクリート、石膏、ガラス等が挙げられる。
処理方法としては、たとえば、公知の塗工方法によって物品に撥水撥油剤組成物を塗布または含浸した後、乾燥する方法が挙げられる。
【００７３】
本発明の撥水撥油剤組成物を用いて物品を処理すると、皮膜が柔軟であるため繊維製品においてはその風合いが柔軟になり、高品位な撥水撥油性を物品に付与できる。また、表面の接着性に優れ、低温でのキュアリングでも撥水撥油性を付与できる。また、摩擦や洗濯による性能の低下が少なく、加工初期の性能を安定して維持できる。また、紙へ処理した場合は、低温の乾燥条件でも、優れたサイズ性、撥水性および耐油性を紙に付与できる。樹脂、ガラスまたは金属表面などに処理した場合には、物品への密着性が良好で造膜性に優れた撥水撥油性皮膜を形成できる。
【実施例】
【００７４】
以下、実施例によって本発明を詳細に説明するが、本発明はこれらに限定されない。
例１〜７、８、１０、１１実施例であり、９、１２は比較例である。
【００７５】
（撥水性）
試験布について、ＪＩＳ  Ｌ  １０９２のスプレー試験にしたがって撥水性を評価した。撥水性は、１〜５の５段階の等級で表した。点数が大きいほど撥水性が良好であることを示す。３等級以上であるものを撥水性が発現しているものとみなす。等級に＋（−）を記したものは、当該等級の標準的なものと比べてそれぞれの性質がわずかに良い（悪い）ことを示す。
【００７６】
（撥水性の摩擦耐久性）
マーチンデール摩擦試験機を用い、試験布の摩擦面に水の２ｍＬを滴下し、試験布の摩擦面を５００回摩擦し、温度２５℃、湿度５５％の部屋で一晩風乾させた後、試験布の摩擦面の前記撥水性を評価した。
【００７７】
（撥水性の洗濯耐久性）
試験布について、ＪＩＳ  Ｌ  ０２１７の別表１０３の水洗い法にしたがって、洗濯を２０回繰り返した。洗濯後、室温２５℃、湿度５５％の部屋で一晩風乾させた後、試験布の前記撥水性を評価した。
【００７８】
（撥油性）
試験布について、ＡＡＴＣＣ−ＴＭ１１８−１９６６の試験方法にしたがって撥油性を評価した。撥油性は、表１に示す等級で表した。等級に＋（−）を記したものは、それぞれの性質がわずかに良い（悪い）ことを示す。
【００７９】
【表１】
0006424575.tif 000002
【００８０】
（豪雨耐久性）
試験布について、ＪＩＳ  Ｌ  １０９２（Ｃ）法に記載の方法（ブンデスマン試験）にしたがって、降雨量を１００ｃｃ／分、降雨水温を２０℃、降雨時間１０分とする条件で降雨させ、撥水性を評価した。撥水性は、１〜５の５段階の等級で表した。点数が大きいほど撥水性が良好であることを示す。３等級以上であるものを撥水性が発現しているものとみなす。等級に＋（−）を記したものは、それぞれの性質がわずかに良い（悪い）ことを示す。
【００８１】
（豪雨耐久性の洗濯耐久性）
試験布について、ＪＩＳ  Ｌ  ０２１７の別表１０３の水洗い法にしたがって、洗濯を５回繰り返した。洗濯後、室温２５℃、湿度５５％の部屋で一晩風乾させた後、試験布の前記豪雨耐久性を評価した。
【００８２】
（略号）
単量体（ａ）：
Ｃ６ＦＭＡ：Ｃ６Ｆ１３Ｃ２Ｈ４ＯＣ（Ｏ）Ｃ（ＣＨ３）＝ＣＨ２。
【００８３】
単量体（ｂ）：
ＢｅＡ：ベヘニルアクリレート、
ＳＴＡ：ステアリルアクリレート。
【００８４】
単量体（ｃ）：
ＰＦＶＢＥ−ＯＨ：ＣＦ２＝ＣＦＯＣＦ２ＣＦ２ＣＦ２ＣＨ２ＯＨ、
ＰＦＶＢＥＭＥ：ＣＦ２＝ＣＦＯＣＦ２ＣＦ２ＣＦ２Ｃ（Ｏ）ＯＣＨ３。
【００８５】
単量体（ｄ）：
ＶＣｌ：塩化ビニル。
【００８６】
単量体（ｅ）：
ＨＥＭＡ：２−ヒドロキシエチルメタクリレート、
Ｎ−ＭＡＭ：Ｎ−メチロールアクリルアミド。
【００８７】
界面活性剤ｓ１：
ＰＥＯ−２０：ポリオキシエチレンオレイルエーテル（花王社製、エマルゲン（登録商標）Ｅ４３０、エチレンオキシド約２６モル付加物）の１０質量％水溶液。
【００８８】
界面活性剤ｓ３：
Ｐ２０４：エチレンオキシドプロピレンオキシド重合物（日油社製、プロノン（登録商標）２０４、エチレンオキシドの割合は４０質量％。）の１０質量％水溶液。
【００８９】
界面活性剤ｓ７：
ＴＭＡＣ：ステアリルトリメチルアンモニウムクロライドの１０質量％水溶液。
【００９０】
媒体：
ＤＰＭ：ジプロピレングリコールモノメチルエーテル、
水：イオン交換水。
【００９１】
分子量調整剤：
ＤｏＳＨ：ｎ−ドデシルメルカプタン。
【００９２】
重合開始剤：
ＶＡ０６１Ａ：２，２'−アゾビス［２−（２−イミダゾリン−２−イル）プロパン］（和光純薬社製、ＶＡ０６１）の酢酸塩の１０質量％水溶液。
【００９３】
〔例１〕
ガラス製ビーカーに、Ｃ６ＦＭＡの４．５ｇ、ＢｅＡの１５．０ｇ、ＰＦＶＢＥ−ＯＨの０．０５ｇ、ＰＥＯ−２０の６．２３ｇ、ＴＭＡＣの０．２５ｇ、Ｐ２０４の１．２５ｇ、ＤＰＭの１５．０ｇ、水の２９．７ｇ、ＤｏＳＨの０．２５ｇを入れ、６０℃で３０分間加温した後、ホモミキサー（日本精機製作所社製、バイオミキサー）を用いて混合して混合液を得た。
【００９４】
得られた混合液を、６０℃に保ちながら高圧乳化機（ＡＰＶラニエ社製、ミニラボ）を用いて、４０ＭＰａで処理して乳化液を得た。得られた乳化液をステンレス製反応容器に入れ、４０℃以下となるまで冷却した。ＶＡ０６１Ａの２．４９ｇを加えて、気相を窒素置換した後、ＶＣｌの５．４ｇを添加した。撹拌しながら６０℃で１５時間重合反応を行い、共重合体のエマルションを得た。各単量体に基づく構成単位の割合を表３に示す。
【００９５】
共重合体のエマルションを蒸留水で希釈し、固形分濃度を１質量％に調整した後、メラミン樹脂架橋剤（ＤＩＣ社製、ベッカミン（登録商標）Ｍ３）および酸触媒（ＤＩＣ社製、アクセラレーターＡＣＸ）を、それぞれの濃度が０．３質量％となるように添加し、撥水撥油剤組成物を得た。
【００９６】
撥水撥油剤組成物に、染色済みポリエステルタフタまたは染色済みナイロンタフタを浸漬し、それぞれウェットピックアップが３５質量％、８６質量％となるように絞った。これを１１０℃で６０秒間乾燥した後、１７０℃で６０秒間乾燥したものを試験布とした。該試験布について、撥油性、撥水性、撥水性の摩擦耐久性、撥水性の洗濯耐久性、豪雨耐久性および豪雨耐久性の洗濯耐久性を評価した。結果を表４、表５に示す。
【００９７】
〔例２〜１２〕
単量体の種類および／または仕込量を表２に示す量に変更した以外は、例１と同様にして共重合体のエマルションを得た。各単量体に基づく構成単位の割合を表３に示す。
該エマルションを用いた以外は、例１と同様にして撥水撥油剤組成物を得た。
該撥水撥油剤組成物を用いた以外は、例１と同様にして試験布を得た。該試験布について、撥油性、撥水性、撥水性の摩擦耐久性、撥水性の洗濯耐久性、豪雨耐久性および豪雨耐久性の洗濯耐久性を評価した。結果を表４、表５に示す。
【００９８】
【表２】
0006424575.tif 000003
【００９９】
【表３】
0006424575.tif 000004
【０１００】
【表４】
0006424575.tif 000005
【０１０１】
【表５】
0006424575.tif 000006
【産業上の利用可能性】
【０１０２】
本発明の撥水撥油剤組成物は、繊維製品（衣料物品（スポーツウェア、コート、ブルゾン、作業用衣料、ユニフォーム等）、かばん、産業資材等）、不織布、皮革製品、木材、石材、コンクリート系建築材料等に撥水撥油性を付与するための撥水撥油剤として有用である。また、有機溶媒液体またはその蒸気存在下で用いられる濾過材料用コーティング剤、表面保護剤、エレクトロニクス用コーティング剤、防汚コーティング剤として有用である。さらに、ポリプロピレン、ナイロン等と混合して成形、繊維化することにより撥水撥油性を付与する用途にも有用である。